(57)【特許請求の範囲】
【請求項１】
並設された複数本の電線から分岐を行う分岐装置において、  絶縁底板と，
前記絶縁底板の上に積層されていて絶縁板本体の板面に前記各電線が平行に通される複数の電線セット溝が形成され、該各電線セット溝の底に貫通孔が長手方向に所定間隔で複数形成されている複数枚の分岐接続絶縁板と，
上部にコネクタキャビテイ部を形成し、前記絶縁底板と前記各分岐接続絶縁板を挟むように保持する絶縁ハウジングで構成され、該絶縁ハウジングに複数本の貫通接続導体を各一端側が前記各分岐接続絶縁板の前記貫通孔に貫通し該各分岐接続絶縁板の電線セット溝に通される所要の前記電線に電気的に接続して分岐接続を行い、各他端側がコネクタ雄端子部として前記コネクタキャビテイ部内に露出させた分岐コネクタ部と，
を備えていることを特徴とする分岐装置。
【請求項２】
前記各分岐接続絶縁板は、前記絶縁板本体の電線セット溝の溝幅に対応する横幅を持つ所定長さの底板部の一端側の両側辺に、電線導通部と電線把持部とがそれぞれ対向するように立ち上がって形成され、底板部の他端側の一側辺に貫通接続導体が貫通接続される筒状の貫通接続導体接続部が延設されている中間接続端子を任意の位置にセットして構成されていることを特徴とする請求項１に記載の分岐装置。
【請求項３】
前記絶縁ハウジングが支持するタブ導体からなる各貫通接続導体は、前記各分岐接続絶縁板に貫通させる各一端側の板面の向きを該各分岐接続絶縁板の電線セット溝の方向と一致する向きに揃え、前記コネクタ雄端子部として前記コネクタキャビテイ部内に露出させた各他端側の板面の向きを前記各分岐接続絶縁板に貫通させる前記各一端側の板面の向きに対して９０°向きを曲げて前記絶縁ハウジングに組み込んだものである請求項２に記載の分岐装置。
【発明の詳細な説明】
【０００１】
【発明の属する技術分野】
本発明は、並設された複数本の電線から分岐を行う分岐装置に関し、特に自動車用ワイヤーハーネスなどに使用して好適な分岐装置に関するものである。
【０００２】
【従来の技術】
従来のこの種の分岐装置１は、図８及び図９に示すように絶縁ハウジング２の側面に複数の圧接端子３が千鳥配置で並設され、これら圧接端子３の圧接溝に対応して並設された複数本の電線４を各圧接溝に臨ませて配置し、この状態で圧入用絶縁カバー５を各圧接端子３に一括して被せて押圧することにより各電線４を各圧接溝に圧入することにより電気的に接続し、この状態で圧入用絶縁カバー５を絶縁ハウジング２に突起６ａと係止窓６ｂからなる係止手段で係止した構造であった。
【０００３】
【発明が解決しようとする課題】
しかしながら、このような分岐装置１では、中間スプライス吸収が圧接端子３：電線４で示すと、１：１でしか実現できない問題点があった。また、分岐の数を増やすには、図９に示すように各電線４に複数の分岐装置１を取り付けなければならず、作業性が悪いとともに、コスト高になり、且つ分岐スペースも大きいスペースを必要とする問題点があった。
【０００４】
本発明の目的は、電線の分岐を小スペースの中で数多くとることが出きるとともに中間スプライス吸収ができ、小型化とコストの低減を図れる分岐装置を提供することにある。
【０００５】
【課題を解決するための手段】
請求項１に記載の発明は、並設された複数本の電線から分岐を行う分岐装置において、
絶縁底板と，
前記絶縁底板の上に積層されていて絶縁板本体の板面に前記各電線が平行に通される複数の電線セット溝が形成され、該各電線セット溝の底に貫通孔が長手方向に所定間隔で複数形成されている複数枚の分岐接続絶縁板と，
上部にコネクタキャビテイ部を形成し、前記絶縁底板と前記各分岐接続絶縁板を挟むように保持する絶縁ハウジングで構成され、該絶縁ハウジングに複数本の貫通接続導体を各一端側が前記各分岐接続絶縁板の前記貫通孔に貫通し該各分岐接続絶縁板の電線セット溝に通される所要の前記電線に電気的に接続して分岐接続を行い、各他端側がコネクタ雄端子部として前記コネクタキャビテイ部内に露出させた分岐コネクタ部と，
を備えていることを特徴とする。
【０００６】
このように構成することにより、貫通接続導体と電線の接続が貫通接続導体：電線で示すと、（１：ｎ）或いは（ｎ：ｎ）に求めることができ、これにより電線の分岐を小スペースの中で数多くとることが出きるとともに貫通接続導体：電線が（１：ｎ）或いは（ｎ：ｎ）とられる分岐の中間スプライスを吸収することができるので、従来のこの種のものに比べて小型化でき、且つコストの低減を図ることができる。
【０００７】
請求項２に記載の発明は、前記各分岐接続絶縁板は、前記絶縁板本体の電線セット溝の溝幅に対応する横幅を持つ所定長さの底板部の一端側の両側辺に、電線導通部と電線把持部とがそれぞれ対向するように立ち上がって形成され、底板部の他端側の一側辺に貫通接続導体が貫通接続される筒状の貫通接続導体接続部が延設されている中間接続端子を任意の位置にセットして構成されていることを特徴とする。
【０００８】
このように構成することにより、電線に電気的に接続される電線導通部と所要の貫通接続導体が貫通接続される貫通接続導体接続部とを備えた中間接続端子を組み込むことにより、各電線と貫通接続導体との電気的接続を必要な箇所で容易に行うことができる。そして、前記の接続は、中間接続端子のセット位置や貫通接続導体の支持位置を所要の位置に求め、或いは変更することにより、分岐箇所変更等の設変が容易に行える。
【０００９】
請求項３に記載の発明は、前記絶縁ハウジングが支持するタブ導体からなる各貫通接続導体は、前記各分岐接続絶縁板に貫通させる各一端側の板面の向きを該各分岐接続絶縁板の電線セット溝の方向と一致する向きに揃え、前記コネクタ雄端子部として前記コネクタキャビテイ部内に露出させた各他端側の板面の向きを前記各分岐接続絶縁板に貫通させる前記各一端側の板面の向きに対して９０°向きを曲げて前記絶縁ハウジングに組み込んだものである。
【００１０】
このように構成することにより、絶縁ハウジングの外に露出させる各貫通接続導体のコネクタ雄端子部の板面の向きが横一列であり、そして、電線の方向が前記コネクタ雄端子部の板面の向きと直行する方向にセットされるような組み付けとしたとき、中間接続端子の貫通接続導体接続部に挿通される各貫通接続導体の分岐接続絶縁板に貫通させる側の部分の板面の向きが前記電線と平行となるので、中間接続端子の横幅が各貫通接続導体の分岐接続絶縁板に貫通させる側の部分の板面の向きが前記電線と直行している場合と比較して狭く、その分中間接続端子の配置間隔が狭くなり、一層の小型化が実現できる。
【００１１】
【発明の実施の形態】
図１〜図４は本発明に係る分岐装置における実施の形態の第１例を示したもので、図１は本例の分岐装置の分解斜視図、図２は本例の分岐装置の横断面図、図３は本例の分岐装置で用いている分岐接続絶縁板に電線と中間接続端子とを組み込んだ状態の平面図、図４は本例の分岐装置で用いている中間接続端子の斜視図である。
【００１２】
本例の分岐装置１は、絶縁底板７と、該絶縁底板７の上に積層されていて各電線４が平行に通されるようになっている複数枚の分岐接続絶縁板８と、絶縁底板７と共に各分岐接続絶縁板８を絶縁ハウジング９で保持するとともに該絶縁ハウジング９が支持する複数本の貫通接続導体１０の各一端側を各分岐接続絶縁板８に貫通させて分岐接続絶縁板８に通される所要の電線４に電気的に接続して分岐接続を行い他端側をコネクタ雄端子部１０ａとして外部に露出させた分岐コネクタ部１１とを備えている。
【００１３】
各分岐接続絶縁板８は次のように構成されている。絶縁板本体１２の板面に各電線４が平行に通される複数の電線セット溝１３が形成され、この各電線セット溝１３の底に、前記貫通接続導体１０が挿通される貫通孔１４が長手方向に所定間隔で複数形成されており、そして、前記各電線セット溝１３内に、各電線セット溝１３に通される電線４に電気的に接続される電線導通部１５ａと所要の前記貫通接続導体１０が貫通接続される貫通接続導体接続部１５ｂとを備えた中間接続端子１５が任意の位置にセットされている。
【００１４】
更に詳細には、前記絶縁板本体１２の板面には各電線セット溝１３の溝壁に、前記電線セット溝１３と連通して電線セット溝１３の一部を構成し、そして、前記中間接続端子１５の貫通接続導体接続部１５ｂを係合させる係合凹部１３ａが長手方向に所定間隔で形成されており、この係合凹部１３ａの底に前記貫通孔１４が形成されている。
【００１５】
また、前記中間接続端子１５は、前記電線セット溝１３の溝幅に対応する横幅を持つ所定長さの底板部の一端側の両側辺に、電線導通部１５ａと電線把持部１５ｄがそれぞれ対向するように立ち上がって形成されており、対向する電線導通部１５ａ同士及び電線把持部１５ｄ同士の間に電線４を挿入するようになっており、また、底板部１５ｃの他端側の一側辺に貫通接続導体１０が貫通接続される筒状の貫通接続導体接続部１５ｂが延設されている。
【００１６】
前記電線導通部１５ａにはその内面側に、挿入された電線４に食い込み導線に接触し、或いは裸の導線４ａに圧接して電気的に接続される導通突片１５ｅが形成されている。また、電線把持部１５ｄは、内側に折り曲げられて挿入された電線４を把持するようになっている。
【００１７】
前記底板部１５ｃの他端側の一側辺に延設された貫通接続導体接続部１５ｂは、これに挿通される貫通接続導体１０と電線導通部１５ａ同士及び電線把持部１５ｄ同士の間に挿入された電線４と干渉しないようになっている。そして、この貫通接続導体接続部１５ｂは、中間接続端子１５を電線セット溝１３にセットしたとき、電線セット溝１３の側壁に形成されている係合凹部１３ａに係合するようになっており、且つ係合したとき貫通接続導体接続部１５ｂの筒孔１５ｆと係合凹部１３ａの底に形成されている貫通孔１４とが一致するようになっている。
【００１８】
なお、本例の中間接続端子１５では、図４に示すように貫通接続導体接続部１５ｂは底板部１５ｃの左側辺に延設されているが、図示しないが、底板部１５ｃの右側辺に延設されたものも用いることができる。また、前記各分岐接続絶縁板８を構成する絶縁板本体１２の電線セット溝１３に通される電線４は、その端末でも或いは中間でもよい。
【００１９】
前記分岐コネクタ部１１にあっては、前記のように、絶縁底板７と共に各分岐接続絶縁板８を絶縁ハウジング９で保持するとともに該絶縁ハウジング９が支持する複数本の貫通接続導体１０の各一端側を各分岐接続絶縁板８に貫通させて分岐接続絶縁板８に通される所要の電線４に電気的に接続して分岐接続を行い他端側をコネクタ雄端子部１０ａとして外部に露出させた構成となっている。
【００２０】
前記絶縁ハウジング９が支持する各貫通接続導体１０はそれぞれタブ導体からなり、これらタブ導体からなる貫通接続導体１０は少なくとも各分岐接続絶縁板８に貫通させる側がその板面の向きを一方向に揃えて絶縁ハウジング９に組み込まれている。本例のタブ導体からなる貫通接続導体１０は、他端側のコネクタ雄端子部１０ａも板面の向きが同じであって、これらコネクタ雄端子部１０ａは分岐接続絶縁板８に通される電線４の方向に板面を向けて、即ちコネクタ雄端子部１０ａの板面を電線４の方向と平行に向けて絶縁ハウジング９のコネクタキャビテイ部９ａ内に外向きに露出されている。コネクタキャビテイ部９ａにはコネクタ１８が接続される。
【００２１】
各分岐接続絶縁板８は、絶縁底板７と絶縁ハウジング９とで挟むようにして保持されているのであるが、この状態は絶縁ハウジング９の下端に形成された突起１６を絶縁底板７に形成された凹部１７に係止させることによりロックされている。前記突起１６と凹部１７は係脱可能となっている。
【００２２】
このような分岐装置１では、貫通接続導体１０と電線４の接続が貫通接続導体１０：電線４で示すと、（１：ｎ）或いは（ｎ：ｎ）に求めることができ、これにより電線４の分岐を小スペースの中で数多くとることが出きるとともに貫通接続導体１０：電線４が（１：ｎ）或いは（ｎ：ｎ）とられる分岐の中間スプライスを吸収することができるので、従来のこの種のものに比べて小型化でき、且つコストの低減を図ることができる。
【００２３】
また、積層される各分岐接続絶縁板８には、電線４に電気的に接続される電線導通部１５ａと所要の貫通接続導体１０が貫通接続される貫通接続導体接続部１５ｂとを備えた中間接続端子１５を組み込んでいるので、各電線４と貫通接続導体１０との電気的接続を必要な箇所で容易に行うことができる。そして、前記の接続は、中間接続端子１５のセット位置や絶縁ハウジング９による貫通接続導体１０の支持位置を所要の位置に求め、或いは変更することにより、分岐箇所変更等の設変が容易に行える。
【００２４】
図５（Ａ）（Ｂ）及び図６（Ａ）（Ｂ）は本発明に係る分岐装置における実施の形態の第２例を示したもので、図５（Ａ）は本例の分岐装置１での各貫通接続導体１０のコネクタ雄端子部１０ａの配列状態を示す平面図、図５（Ｂ）は本例の分岐装置１で貫通接続導体１０と中間接続端子１５との接続状態を示す縦断面図、図６（Ａ）（Ｂ）は本例で用いる貫通接続導体１０の２種の例を示す斜視図である。
【００２５】
本例の分岐装置１では、前記絶縁ハウジング９が支持するタブ導体からなる貫通接続導体１０は、前記各分岐接続絶縁板８に貫通させる側の板面の向きが分岐接続絶縁板８の電線セット溝１３の方向と一致する向きとなっており、そしてコネクタ雄端子部１０ａとして外部に露出させた側の板面の向きが前記分岐接続絶縁板８に貫通させる側の板面の向きに対して90°向きが曲げられている。
【００２６】
このように構成することにより、絶縁ハウジング９の外に露出させる各貫通接続導体１０のコネクタ雄端子部１０ａの板面の向きが横一列であり（図５（Ａ）の配列状態）、そして、電線４の方向が前記コネクタ雄端子部１０ａの板面の向きと直行する方向にセットされるような組み付けとしたとき、中間接続端子１５の貫通接続導体接続部１５ｂに挿通される各貫通接続導体１０の分岐接続絶縁板８に貫通させる側の部分の板面の向きが前記電線４と平行となるので、中間接続端子１５の横幅が、後に比較例として図７に示す各貫通接続導体１０の分岐接続絶縁板８に貫通させる側の部分の板面の向きが前記電線４の方向と直行している場合と比較して狭く、その分中間接続端子１５の配置間隔Ｌ１が図７に示す中間接続端子１５の配置間隔Ｌ２より狭くなり、一層の小型化が実現できる。
【００２７】
図７（Ａ）（Ｂ）は本発明に係る分岐装置１に対する比較例の分岐装置を示したもので、図７（Ａ）は比較例の分岐装置での各貫通接続導体１０のコネクタ雄端子部１０ａの配列状態を示す平面図、図７（Ｂ）は比較例の分岐装置で貫通接続導体１０と中間接続端子１５との接続状態を示す縦断面図である。
【００２８】
この比較例の分岐装置では、それぞれタブ導体からなる各貫通接続導体１０がその全長にわたって曲げられておらず、各貫通接続導体１０の分岐接続絶縁板８に貫通させる側の部分の板面の向きが前記電線４の方向と直行している。これに伴い前記の板面の向きが電線４の方向と直行している各貫通接続導体１０を貫通接続させる貫通接続導体接続部１５ｂを備えた中間接続端子１５にあっては、その横幅が前記本例の各貫通接続導体１０と比較して広く、その分中間接続端子１５の配置間隔Ｌ２が本例の中間接続端子１５の配置間隔Ｌ１より広く、その結果、本例に比べ大型化が避けられない。
【００２９】
【発明の効果】
以上説明したように、請求項１に記載の発明によれば、電線の分岐を小スペースの中で数多くとることが出きるとともに分岐の中間スプライスを吸収することができるので、従来のこの種のものに比べて小型化でき、且つコストの低減を図ることができる。
【００３０】
請求項２に記載の発明では、電線に電気的に接続される電線導通部と所要の貫通接続導体が貫通接続される貫通接続導体接続部とを備えた中間接続端子を組み込むことにより、各電線と貫通接続導体との電気的接続を必要な箇所で容易に行うことができ、そして前記の接続は、中間接続端子のセット位置や貫通接続導体の支持位置を所要の位置に求め、或いは変更することにより、分岐箇所変更等の設変を容易に行うことができる。
【００３１】
請求項３に記載の発明では、絶縁ハウジングの外に露出させる各貫通接続導体のコネクタ雄端子部の板面の向きが横一列であり、そして、電線の方向が前記コネクタ雄端子部の板面の向きと直行する方向にセットされるような組み付けとしたとき、中間接続端子の貫通接続導体接続部に挿通される各貫通接続導体の分岐接続絶縁板に貫通させる側の部分の板面の向きが前記電線と平行となるので、中間接続端子の横幅が各貫通接続導体の分岐接続絶縁板に貫通させる側の部分の板面の向きが前記電線と直行している場合と比較して狭く、その分中間接続端子の配置間隔が狭くなり、一層の小型化とコストの低減を図ることができる。
【図面の簡単な説明】
【図１】本発明に係る分岐装置における実施の形態の第１例を示す分解斜視図である。
【図２】本例の分岐装置の横断面図である。
【図３】本例の分岐装置で用いている分岐接続絶縁板に電線と中間接続端子とを組み込んだ状態の平面図である。
【図４】本例の分岐装置で用いている中間接続端子の斜視図である。
【図５】（Ａ）は本発明に係る分岐装置における実施の形態の第２例でコネクタ雄端子部の配列状態を示す平面図、（Ｂ）は本例の分岐装置で貫通接続導体と中間接続端子との接続状態を示す縦断面図である。
【図６】（Ａ）（Ｂ）は本例で用いる貫通接続導体の２種の例を示す斜視図である。
【図７】（Ａ）は本発明に係る分岐装置に対する比較例の分岐装置でコネクタ雄端子部の配列状態を示す平面図、（Ｂ）は比較例の分岐装置で貫通接続導体と中間接続端子との接続状態を示す縦断面図である。
【図８】従来の分岐装置の分解斜視図である。
【図９】従来の分岐装置の斜視図である。
【符号の説明】
１      分岐装置
２      絶縁ハウジング
３      圧接端子
４      電線
４ａ    裸の導線
５      圧入用絶縁カバー
６ａ    突起
６ｂ    係止窓
７      絶縁底板
８      分岐接続絶縁板
９      絶縁ハウジング
９ａ    コネクタキャビテイ部
１０    貫通接続導体
１０ａ  コネクタ雄端子部
１１    分岐コネクタ部
１２    絶縁板本体
１３    電線セット溝
１３ａ  係合凹部
１４    貫通孔
１５    中間接続端子
１５ａ  電線導通部
１５ｂ  貫通接続導体接続部
１５ｃ  底板部
１５ｄ  電線把持部
１５ｅ  導通突片
１５ｆ  筒孔
１６    突起
１７    凹部
１８    コネクタ
【図１】
0003670891.tif 000002
【図２】
0003670891.tif 000003
【図３】
0003670891.tif 000004
【図４】
0003670891.tif 000005
【図５】
0003670891.tif 000006
【図６】
0003670891.tif 000007
【図７】
0003670891.tif 000008
【図８】
0003670891.tif 000009
【図９】
0003670891.tif 000010